(57)【特許請求の範囲】
【請求項１】
無線通信システムにおいて制御チャネルをモニターリングする方法であって、
前記方法は、
ＵＥ（ｕｓｅｒ  ｅｑｕｉｐｍｅｎｔ）が、ＤＲＸ（ｄｉｓｃｏｎｔｉｎｕｏｕｓ  ｒｅｃｅｐｔｉｏｎ）期間の間に目覚めることであって、前記ＤＲＸ期間は、モニターリング区間および非モニターリング区間を含む、ことと、
前記ＵＥにより、目覚めた後に、前記モニターリング区間の間にＰＤＣＣＨ（ｐｈｙｓｉｃａｌ  ｄｏｗｎｌｉｎｋ  ｃｏｎｔｒｏｌ  ｃｈａｎｎｅｌ）をモニターリングすることと
を含み、
アップリンク割当またはダウンリンク割当が示されるＰＤＣＣＨが前記モニターリング区間の間に前記ＵＥによってデコードされることが成功した場合には、前記ＵＥは、前記モニターリング区間の後の延長期間の間に前記ＰＤＣＣＨをモニターリングし続けることにより、連続受信モードに入り、
前記連続受信モードに入り、前記延長期間の間にデコードした後に、前記アップリンク割当または前記ダウンリンク割当が示される前記ＰＤＣＣＨが前記延長期間の間にデコードされることが失敗した場合には、前記ＵＥは、前記ＰＤＣＣＨをモニターリングすることを停止することにより、非連続受信モードに入り、
前記アップリンク割当または前記ダウンリンク割当が示される前記ＰＤＣＣＨが前記延長期間の間にデコードされることが成功した場合には、前記ＵＥは、追加的な延長期間の間に継続的に前記ＰＤＣＣＨをモニターリングする、方法。
【請求項２】
前記ＵＥがネットワークから構成情報を受信することをさらに含み、前記構成情報は、前記ＵＥに対して前記モニターリング区間の長さを示す、請求項１に記載の方法。
【請求項３】
前記ＵＥがネットワークから構成情報を受信することをさらに含み、前記構成情報は、前記ＵＥに対して前記非モニターリング区間の間にモニターリングをすることをいつ停止するかを示す、請求項１に記載の方法。
【請求項４】
前記ＵＥがネットワークから構成情報を受信することをさらに含み、前記構成情報は、前記延長期間に関する、請求項１に記載の方法。
【請求項５】
前記ＵＥが前記モニターリング区間の間に少なくとも１つの周期的ＣＱＩ（ｃｈａｎｎｅｌ  ｑｕａｌｉｔｙ  ｉｎｄｉｃａｔｏｒ）報告を伝送することをさらに含む、請求項１に記載の方法。
【請求項６】
無線通信システムにおいて制御チャネルをモニターリングするＵＥ（ｕｓｅｒ  ｅｑｕｉｐｍｅｎｔ）であって、
前記ＵＥは、プロセッサを含み、
前記プロセッサは、
ＤＲＸ（ｄｉｓｃｏｎｔｉｎｕｏｕｓ  ｒｅｃｅｐｔｉｏｎ）期間の間に目覚めることであって、前記ＤＲＸ期間は、モニターリング区間および非モニターリング区間を含む、ことと、
目覚めた後に、前記モニターリング区間の間にＰＤＣＣＨ（ｐｈｙｓｉｃａｌ  ｄｏｗｎｌｉｎｋ  ｃｏｎｔｒｏｌ  ｃｈａｎｎｅｌ）をモニターリングすることと
を行うように構成されており、
アップリンク割当またはダウンリンク割当が示されるＰＤＣＣＨが前記モニターリング区間の間に前記ＵＥによってデコードされることが成功した場合には、前記ＵＥは、前記モニターリング区間の後の延長期間の間に前記ＰＤＣＣＨをモニターリングし続けることにより、連続受信モードに入り、
前記連続受信モードに入り、前記延長期間の間にデコードした後に、前記アップリンク割当または前記ダウンリンク割当が示される前記ＰＤＣＣＨが前記延長期間の間にデコードされることが失敗した場合には、前記ＵＥは、前記ＰＤＣＣＨをモニターリングすることを停止することにより、非連続受信モードに入り、
前記アップリンク割当または前記ダウンリンク割当が示される前記ＰＤＣＣＨが前記延長期間の間にデコードされることが成功した場合には、前記ＵＥは、追加的な延長期間の間に前記ＰＤＣＣＨを継続的にモニターリングする、ＵＥ（ｕｓｅｒ  ｅｑｕｉｐｍｅｎｔ）。
【請求項７】
前記プロセッサは、請求項２〜５のうちのいずれか一項のさらなる特徴を実行するようにさらに構成されている、請求項６に記載のＵＥ（ｕｓｅｒ  ｅｑｕｉｐｍｅｎｔ）。
【発明の詳細な説明】
【技術分野】
【０００１】
本発明は、無線通信に関し、より詳しくは、無線通信システムにおいて端末のバッテリ消耗を縮める方法に関する。
【背景技術】
【０００２】
既存のＷＣＤＭＡ(WideCode  Division  Multiple  Access)基盤の無線通信システムは、ソフトハンドオーバーを考慮する音声中心の低速データ伝送方式としては相当効率的な無線伝送方式であるが、多経路フェーディング(multi-pathfading)環境で高速のデータの伝送には非効率的である。約１００Ｍｂｐｓのダウンリンク伝送速度を提案しているＥ-ＵＭＴＳシステムにおいては、多重接続技術として、ダウンリンクの場合、ＯＦＤＭ技術を主議論対象としており、アップリンクの場合、端末のＰＡＰＲ(Peak-to-Average-Ratio)を最小化するためにＤｉｓｃｒｅｔｅＦｏｕｒｉｅｒ  Ｔｒａｎｓｆｏｒｍ  ＳｐｒｅａｄＯＦＤＭ(DFT-S-OFDM)技術を主議論対象としている。
【０００３】
図１は、無線通信システムを示すブロック図である。これはＥ-ＵＭＴＳ(Evolved-Universal  Mobile  Telecommunications  System)の網構造であってもよい。Ｅ-ＵＭＴＳシステムは、ＬＴＥ(LongTerm  Evolution)システムということもできる。無線通信システムは、音声、パケットデータなどのような多様な通信サービスを提供するために広く配置される。
【０００４】
図１を参照すると、Ｅ-ＵＭＴＳは、Ｅ-ＵＴＲＡＮ(Evolved-UMTS  Terrestrial  Radio  Access  Network)とＥＰＣ(EvolvedPacket  Core)に区分することができる。Ｅ-ＵＴＲＡＮ(Evolved-UMTS  Terrestrial  Radio  Access  Network)は基地局(２０；BaseStation、BS)を含む。端末(１０；User  Equipment、UE)は固定される、或いは移動性を有することができて、ＭＳ(Mobilestation)、ＵＴ(User  Terminal)、ＳＳ(Subscriber  Station)、無線機器(Wireless  Device)等、他の用語とも呼ばれることができる。基地局(２０)は、一般的に端末(１０)と通信する固定された地点(fixedstation)をいい、ｅＮＢ(evolved-NodeB)、ＢＴＳ(Base  Transceiver  System)、アクセスポイント(AccessPoint)等、他の用語とも呼ばれることができる。一つの基地局(２０)には一つ以上のセルが存在する。基地局(２０)間には使用者トラフィックあるいは制御トラフィック伝送のためのインターフェースが使われてもよい。以下、ダウンリンク(downlink)は基地局(２０)から端末(１０)への通信を意味して、アップリンク(uplink)は端末(１０)から基地局(２０)への通信を意味する。
【０００５】
基地局(２０)は、端末(１０)に使用者平面と制御平面の終端点を提供する。基地局(２０)間にはＸ２インターフェースを介して連結され、隣接する基地局(２０)間には常にＸ２インターフェースが存在するメッシュ(meshed)網構造を有してもよい。
【０００６】
基地局(２０)は、Ｓ１インターフェースを介してＥＰＣ(EvolvedPacket  Core)、より詳しくは、ａＧＷ(access  Gateway、３０)と連結される。ａＧＷ(３０)は、端末(１０)のセッション及び移動性管理機能の終端点を提供する。基地局(２０)とａＧＷ(３０)との間にはＳ１インターフェースを介して多数個のノード同士に(manyto  many)連結されることができる。ａＧＷ(３０)は、使用者トラフィック処理を担当する部分と制御用トラフィックを処理する部分に分けられることができる。この場合、新しい使用者トラフィック処理のためのａＧＷと制御用トラフィックを処理するａＧＷとの間に新しいインターフェースを使用してお互いに通信することができる。ａＧＷ(３０)は、ＭＭＥ/ＵＰＥ(MobilityManagement  Entity/User  Plane  Entity)ともいう。
【０００７】
一方、端末と網との間の無線インターフェースプロトコル(radio  interface  protocol)の階層は、通信システムにおいて広く知られた開放型システム間相互接続(OpenSystem  Interconnection；OSI)モデルの下位３個階層に基づき、Ｌ１(第１階層)、Ｌ２(第２階層)、Ｌ３(第３階層)に区分されることができる。このうち、第１階層に属する物理階層は、物理チャネル(physicalchannel)を用いた情報伝送サービス(information  transfer  service)を提供して、第３階層に位置する無線資源制御(radioresource  control；以下、ＲＲＣという)階層は、端末と網との間に無線資源を制御する役割を遂行する。このために、ＲＲＣ階層は、端末と網との間にＲＲＣメッセージをお互いに交換する。ＲＲＣ階層は、基地局とａＧＷなど、網ノードに分散されて位置してもよく、基地局またはａＧＷにのみ位置してもよい。
【０００８】
無線インターフェースプロトコルは、水平的に、物理階層(physical  layer)、データリンク階層(datalink  layer)及びネットワーク階層(network  layer)からなり、垂直的には、データ情報伝送のための使用者平面(userplane)と制御信号(signaling)伝達のための制御平面(control  plane)に区分される。
【０００９】
図２は、無線インターフェースプロトコルの制御平面を示すブロック図である。図３は、無線インターフェースプロトコルの使用者平面を示すブロック図である。図２及び図３は、３ＧＰＰ無線接続網規格に基づいた端末とＥ-ＵＴＲＡＮとの間の無線インターフェースプロトコルの構造を示す。
【００１０】
図２及び図３を参照すると、第１階層である物理階層は、物理チャネル(physical  channel)を用いて上位階層に情報伝送サービス(information  transfer  service)を提供する。物理階層は、上位にある媒体接続制御(MediumAccess  Control；ＭＡＣ)階層とは伝送チャネル(transport  channel)を介して連結されており、この伝送チャネルを介してＭＡＣ階層と物理階層との間のデータが移動する。また、異なる物理階層間、即ち、送信側と受信側の物理階層間は物理チャネルを介してデータが移動する。
【００１１】
第２階層のＭＡＣ階層は、論理チャネル(logical  channel)を介して上位階層である無線リンク制御(Radio  Link  Control；RLC)階層にサービスを提供する。第２階層のＲＬＣ階層は、信頼性のあるデータの伝送を支援する。ＲＬＣ階層の機能は、ＭＡＣ内部の機能ブロックにより具現されることもできる。この場合、点線によって示した通り、ＲＬＣ階層は存在しないこともある。
【００１２】
第２階層のＰＤＣＰ(Packet  Data  Convergence  Protocol)階層は、ＩＰｖ４やＩＰｖ６のようなＩＰ(InternetProtocol)パケット伝送時に無線区間(radio  interface)を介して效率的にパケットを伝送するために相対的に大きさが大きく、また不必要な制御情報を含んでいるＩＰパケットヘッダサイズを減らすヘッダ圧縮(headercompression)機能を遂行する。
【００１３】
第３階層の無線資源制御(Radio  Resource  Control；以下、ＲＲＣ)階層は、制御平面でのみ定義される。ＲＲＣ階層は、無線ベアラ(RadioBearer；RB)の設定(configuration)、再設定(re-configuration)及び解除(release)と関連して論理チャネル、伝送チャネル及び物理チャネルの制御を担当する。このとき、ＲＢは、端末とＥ-ＵＴＲＡＮとの間のデータ伝達のために第２階層により提供されるサービスを意味する。ＲＢは、端末とＥ-ＵＴＲＡＮとの間のデータ伝達のために無線プロトコルの第１及び第２階層により提供される論理的経路を意味して、一般的にＲＢが設定されるというのは、特定サービスを提供するために必要な無線プロトコル階層及びチャネルの特性を規定して、各々の具体的なパラメータ及び動作方法を設定する過程を意味する。
【００１４】
網から端末にデータを伝送するダウンリンク伝送チャネル(transport  channel)としては、システム情報を伝送するＢＣＨ(Broadcast  Channel)と、その以外に使用者トラフィックや制御メッセージを伝送するＤＬ-ＳＣＨ(DownlinkShared  Channel)と、がある。ダウンリンクマルチキャストまたは放送サービスのトラフィックまたは制御メッセージの場合、ＤＬ-ＳＣＨを介して伝送されることもでき、またはＭＣＨ(MulticastChannel)を介して伝送されることもできる。一方、端末から網にデータを伝送するアップリンク伝送チャネルとしては、初期制御メッセージを伝送するＲＡＣＨ(Randomaccess  Channel)と、その以外に使用者トラフィックや制御メッセージを伝送するＵＬ-ＳＣＨ(Uplink  Shared  Channel)と、がある。ページング情報を伝達するためのＰＣＨ(PagingChannel)もある。
【００１５】
図４は、ＷＣＤＭＡシステムにおいて、論理チャネルで物理チャネルへのマッピングを示す例示図である。これは３ＧＰＰＴＳ２５.２１１  Ｖ６.７.０(２００５-１２)“Technical  Specification  Group  RadioAccess  Network；Physical  channels  and  mapping  of  transport  channels  ontophysical  channels(FDD)(Release6)”６.１節を参照することができる。
【００１６】
図４を参照すると、論理チャネル(DCH(Dedicated  Channel)、Ｅ-ＤＣＨ(Enhanced  Dedicated  Channel)、ＲＡＣＨ(RandomAccess  Channel)、ＢＣＨ(Broadcast  Channel)、ＦＡＣＨ(Forward  Access  Channel)、ＰＣＨ(PagingChannel)、ＨＳ-ＤＳＣＨ(High  Speed  Downlink  Shared  Channel))は多様な物理チャネルにマッピングされる。
【００１７】
図５は、Ｅ-ＵＴＲＡＮにおいて、論理チャネルで物理チャネルへのマッピングを示す例示図である。これは３ＧＰＰＴＳ３６.３００  Ｖ０.９.０(２００７-０３)“TechnicalSpecification  Group  Radio  Access  Network；EvolvedUniversal  Terrestrial  Radio  Access(E-UTRA)and  Evolved  Universal  TerrestrialRadio  Access  Network(E-UTRAN)；Overall  description；Stage2(Release8)”５.３.１節を参照することができる。
【００１８】
図５を参照すると、ＢＣＨを除いたダウンリンク伝送チャネル(DL-SCH、PCH、MCH)は、物理チャネルＰＤＳＣＨ(Physical  downlink  shared  channel)にマッピングされる。ダウンリンク物理チャネルのうち制御チャネルは、ＰＤＣＣＨ(PhysicalDownlink  Control  Channel)がある。図４と図５を比較すると、多様な物理チャネルを使用しているＷＣＤＭＡシステムと違ってＥ-ＵＴＲＡＮではダウンリンク物理チャネルをトラフィックデータのためのＰＤＳＣＨと制御信号のためのＰＤＣＣＨの二つのみを使用する。
【００１９】
ＰＤＳＣＨを受信するためには、端末はまずＰＤＣＣＨをモニターリングしなければならない。ＰＤＣＣＨを成功的にデコーディングすると、端末はＰＤＣＣＨに含まれたスケジューリング情報を用いてＰＤＳＣＨを受信することができる。然しながら、ＰＤＣＣＨは、略唯一の制御チャネルであるため、ＴＴＩ(Transmission  Time  Interval)毎に伝送される。ＴＴＩは、基地局がスケジューリングする単位であり、一つのサブフレームの伝送にかかる時間を意味する。例えば、１ＴＴＩは１ｍｓであってもよい。
【００２０】
特定目的にともなう制御チャネルのみをモニターリングすることができるＷＣＤＭＡシステムと違ってＥ-ＵＴＲＡＮにおいて、端末は自分のスケジューリング情報を確認するためにはＴＴＩ毎にＰＤＣＣＨをモニターリングすることが必要である。然しながら、自分のスケジューリング情報をＴＴＩ毎に確認することは、比較的短いＴＴＩ長さによって端末のバッテリ消耗が大きいという問題がある。
【発明の概要】
【発明が解決しようとする課題】
【００２１】
本発明が解決しようとする技術的課題は、端末のバッテリ消耗を縮める制御チャネルモニターリング方法を提供することである。
【課題を解決するための手段】
【００２２】
一態様において、無線通信システムにおいて制御チャネルをモニターリングする方法は、モニターリング区間の間にＰＤＣＣＨ(Physical  Downlink  Control  Channel)をモニターリングする段階を含み、前記モニターリング区間はＤＲＸ(DiscontinuousReception)周期の一部であり、前記ＤＲＸ周期は非モニターリング区間が続く前記モニターリング区間の周期的反復を定義する。
【００２３】
他の態様において、無線通信システムにおいて制御チャネルをモニターリングする方法は、モニターリング区間の間にＰＤＣＣＨ(Physical  Downlink  Control  Channel)をモニターリングする段階、及び前記モニターリング区間の間にＰＤＣＣＨを成功的にデコーディングする時、拡張区間の間に前記ＰＤＣＣＨをモニターリングする段階、を含む。前記モニターリング区間はＤＲＸ(DiscontinuousReception)周期の一部であり、前記ＤＲＸ周期は非モニターリング区間が続く前記モニターリング区間の周期的反復を定義する。
例えば、本発明は以下の項目を提供する。
（項目１）
無線通信システムにおいて制御チャネルをモニターリングする方法において、
モニターリング区間の間にＰＤＣＣＨ(Physical  Downlink  Control  Channel)をモニターリングする段階を含み、前記モニターリング区間はＤＲＸ(Discontinuous  Reception)周期の一部であり、前記ＤＲＸ周期は非モニターリング区間が続く前記モニターリング区間の周期的反復を定義することを特徴とする方法。
（項目２）
前記非モニターリング区間の間に前記ＰＤＣＣＨのモニターリングを中止するようにするＤＲＸ設定を受信する段階をさらに含むことを特徴とする項目１に記載の方法。
（項目３）
前記モニターリング区間は、連続的なＴＴＩ(Transmission  Time  Interval)の数によって定義されることを特徴とする項目１に記載の方法。
（項目４）
前記モニターリング区間の間に周期的ＣＱＩ(Channel  Quality  Indicator)報告を伝送する段階をさらに含むことを特徴とする項目１に記載の方法。
（項目５）
前記ＰＤＣＣＨは、スケジューリング割当を伝達することを特徴とする項目１に記載の方法。
（項目６）
前記モニターリング区間の間にダウンリンク割当またはアップリンク割当を指示する前記ＰＤＣＣＨを成功的にデコーディングする時、連続的なＴＴＩの数によって定義される拡張区間の間に前記ＰＤＣＣＨをモニターリングする段階をさらに含むことを特徴とする項目１に記載の方法。
（項目７）
前記拡張区間に対する情報は、基地局から伝達されることを特徴とする項目６に記載の方法。
（項目８）
前記拡張区間の間に前記ＰＤＣＣＨがデコーディングされないと、前記ＤＲＸ周期に再進入する段階をさらに含むことを特徴とする項目６に記載の方法。
（項目９）
無線通信システムにおいて制御チャネルをモニターリングする方法において、
モニターリング区間の間にＰＤＣＣＨ(Physical  Downlink  Control  Channel)をモニターリングする段階；及び、
前記モニターリング区間の間にＰＤＣＣＨを成功的にデコーディングする時、拡張区間の間に前記ＰＤＣＣＨをモニターリングする段階を含み、前記モニターリング区間はＤＲＸ(Discontinuous  Reception)周期の一部であり、前記ＤＲＸ周期は非モニターリング区間が続く前記モニターリング区間の周期的反復を定義することを特徴とする方法。
（項目１０）
前記モニターリング区間の間に前記ＰＤＣＣＨが成功的にデコーディングされない時、前記非モニターリング区間の間に前記ＰＤＤＣＨのモニターリングを中止する段階をさらに含むことを特徴とする項目９に記載の方法。
（項目１１）
前記モニターリング区間と前記拡張区間とに対する情報は、基地局から伝達されることを特徴とする項目９に記載の方法。
（項目１２）
前記拡張区間の間に前記ＰＤＣＣＨがデコーディングされないと、前記ＤＲＸ周期に再進入する段階をさらに含むことを特徴とする項目９に記載の方法。
【発明の効果】
【００２４】
ＤＲＸ周期(period)を用いた制御チャネルモニターリングを介してＥ-ＵＴＲＡＮシステムにおいて端末のバッテリ消耗を減らし、端末の使用時間を延ばすことができる。
【図面の簡単な説明】
【００２５】
【図１】無線通信システムを示すブロック図である。
【図２】無線インターフェースプロトコルの制御平面を示すブロック図である。
【図３】無線インターフェースプロトコルの使用者平面を示すブロック図である。
【図４】ＷＣＤＭＡシステムにおいて、論理チャネルで物理チャネルへのマッピングを示す例示図である。
【図５】Ｅ-ＵＴＲＡＮにおいて、論理チャネルで物理チャネルへのマッピングを示す例示図である。
【図６】本発明の一実施例に係る制御チャネルモニターリング方法を示す例示図である。
【図７】本発明の一実施例に係る制御チャネルモニターリング方法を示す例示図である。
【図８】本発明の一実施例に係る制御チャネルモニターリング方法を示す例示図である。
【図９】本発明の一実施例に係る制御チャネルモニターリング方法を示す例示図である。
【図１０】本発明の一実施例に係る制御チャネルモニターリング方法を示す例示図である。
【図１１】本発明の一実施例に係る制御チャネルモニターリング方法を示す例示図である。
【図１２】本発明の一実施例に係る制御チャネルモニターリング方法を示す例示図である。
【図１３】端末の要素を示すブロック図である。
【発明を実施するための形態】
【００２６】
端末は、ＤＲＸ(DiscontinuousReception)周期(period)ごとに存在するモニターリング区間(monitored  duration)の間にダウンリンク制御チャネルをモニターリングする。モニターリング区間はダウンリンク制御チャネルをモニターリングするための連続的な(consecutive)ＴＴＩの数によって定義される。
【００２７】
端末は、少なくとも一定ＤＲＸ周期ごとに一定確認区間の間に自分に対するスケジューリング情報がダウンリンク制御チャネルを介して伝送されるかを確認して、もし、スケジューリング情報を確認するとこれを介して自分のデータを受信する。
【００２８】
前記端末は、モニターリング区間の間に、前記基地局から自分に対するいかなるスケジューリング情報も受信されない場合、前記ＤＲＸ周期の残りの区間の間にはダウンリンク制御チャネルをモニターリングしない。
【００２９】
前記端末は、基地局が制御チャネルのＤＲＸを設定すると、ＤＲＸ周期ごとにモニターリング区間の間にのみ制御チャネルをモニターリングし、非モニターリング区間の間に制御チャネルのモニターリングを中止する。
【００３０】
前記端末は、ダウンリンク制御チャネルを介して自分のスケジューリング情報を確認すると、即ち、ダウンリンク制御チャネルのデコーディングに成功すると、モニターリング区間が経過した後にも拡張区間(extended  period)の間にダウンリンク制御チャネルのモニターリングを続けることができる。
【００３１】
前記端末は、ダウンリンク制御チャネルを介して自分のスケジューリング情報を確認すると、連続受信(continuous  reception)モードに進入することができる。連続受信モードで、端末は特定条件が満たす前まではダウンリンク制御チャネルを受信し続けることができる。
【００３２】
不連続受信状態から連続受信モード状態に進入した前記端末が、連続受信モード状態から再び不連続受信状態に進入する場合は、前記端末が、連続受信モードに進入した後、一定時間の間にダウンリンク制御チャネルに自分のスケジューリング情報が検出できない時である。
【００３３】
不連続受信状態から連続受信モードに進入した前記端末が、連続受信モード状態から再び不連続受信状態に進入する場合は、前記端末が、連続受信モードに進入した後、前記基地局から不連続受信状態に進入しろとの命令を受けた時である。
【００３４】
前記端末は、モニターリング区間内で、自分のスケジューリング情報を確認した場合、モニターリング区間を延長して、モニターリング区間が経過しても延長された時間だけダウンリンク制御チャネルをモニターリングすることができる。
【００３５】
前記ダウンリンク制御チャネルは、ページングチャネル、無線資源設定に関する情報を伝達するＬ１/Ｌ２制御チャネルのうちいずれか一つであってもよい。Ｌ１/Ｌ２制御チャネルはＰＤＣＣＨともいう。ダウンリンク制御チャネルは、端末がＤＬ-ＳＣＨを介してデータを受信する、或いはＵＬ-ＳＣＨを介してデータの伝送に必要な資源設定情報などを伝達するチャネルである。ダウンリンク制御チャネルは、端末のスケジューリング割当情報を知らせるチャネルである。スケジューリング割当にはアップリンク割当及び/またはダウンリンク割当がある。端末は、ダウンリンク制御チャネルのデコーディングに成功すると、自分のスケジューリング情報をダウンリンク制御チャネルが伝達していることを確認することができる。
【００３６】
基地局は、端末に制御チャネルのモニターリングのためのＤＲＸを設定したか否か、ＤＲＸ周期及びモニターリング区間、拡張区間の情報などを知らせることができる。
【００３７】
前記基地局は、前記端末に何番目サブフレームから少なくともいくつのサブフレームまたはどのぐらいの時間の間、前記端末がダウンリンク制御チャネルをモニターリングしなければならないかに関する設定情報を知らせることができる。
【００３８】
前記基地局は、前記端末がダウンリンク制御チャネルをモニターリングするモニターリング区間の反復周期に関する情報、即ち、ＤＲＸ周期の設定情報を前記端末に知らせることができる。
【００３９】
前記基地局は、制御チャネルのモニターリングをＤＲＸ周期のモニターリング区間の間のみ遂行して、非モニターリング区間の間にモニターリングを中止するか否かに関するＤＲＸ設定情報を端末に知らせることができる。
【００４０】
前記基地局は、モニターリング区間の間に自分のスケジューリング情報を確認すると、ＤＲＸ周期を非活性化(inactive)し、ダウンリンク制御チャネルをモニターリングし続ける拡張区間に関する情報を前記端末に知らせることができる。
【００４１】
前記モニターリング区間や拡張区間に関する情報は、ダウンリンク制御チャネルが割り当てられるサブフレームによって表してもよい。前記モニターリング区間や拡張区間に関する情報は、モニターリングする連続されるサブフレームの数によって表してもよく、または、前記モニターリング区間や拡張区間に関する情報は、モニターリングする連続されるＴＴＩの数によって表してもよい。例えば、モニターリング区間が一つのサブフレームにより指示されると、端末は一つのサブフレームでのみダウンリンク制御チャネルをモニターリングする。従って、基地局は、前記端末に送るデータまたは制御情報がある場合、必ずモニターリング区間が属するサブフレームに割り当てられるダウンリンク制御チャネルを介してのみこれらを知らせなければならない。然しながら、このとき、システムの電力が不足する、あるいは他の使用者に送るデータが多い場合、前記基地局は、前記端末にデータの存在を指示するために、他の使用者のデータ伝送をあきらめなければならない。即ち、前記端末のモニターリング区間が一つのサブフレームのみを含む場合、前記基地局の無線資源の活用に多くの制約が発生するため、連続された複数個のサブフレーム(複数のＴＴＩ)をモニターリング区間または拡張区間に指定することが効率的である。
【００４２】
図６は、本発明の一実施例に係る制御チャネルモニターリング方法を示す例示図である。
【００４３】
図６を参照すると、ＤＲＸ周期は７ＴＴＩであり、モニターリング区間(monitored  duration)の長さは２ＴＴＩである。ＤＲＸ周期の残りの区間、即ち、非モニターリング区間(non-monitoredduration)の長さは６ＴＴＩである。モニターリング区間の長さは、連続するＴＴＩの数によって定義される。ＴＴＩは、基地局が無線資源をスケジューリングする単位であり、一つのサブフレームの伝送に必要な時間である。一つのサブフレームには少なくとも一つのＰＤＣＣＨと少なくとも一つのＰＤＳＣＨが割り当てられることができる。
【００４４】
モニターリング区間の長さは、基地局が端末に知らせることができる。モニターリング区間はＤＲＸ周期の一部であり、ＤＲＸ周期は非モニターリング区間にしたがうモニターリング区間の周期的反復を定義する。
【００４５】
端末は、ＤＲＸ周期ごとにモニターリング区間の間にＰＤＣＣＨ(Physical  Downlink  Control  Channel)をモニターリングする。ＰＤＣＣＨは、アップリンク割当またはダウンリンク割当のようなスケジューリング割当(schedulingassignment)を運ぶ制御チャネルである。モニターリング区間の間にＰＤＣＣＨが成功的にデコーディングされないと、端末は、非モニターリング区間の間にＰＤＣＣＨのモニターリングを中止する。非モニターリング区間の間にＰＤＣＣＨをモニターリングするか否か、即ち、ＤＲＸ設定は、基地局が端末に知らせることができる。
【００４６】
端末は、モニターリング区間の間にのみＰＤＣＣＨをモニターリングする。端末は、モニターリング区間にのみ目覚めてアップリンク伝送やダウンリンク伝送を遂行することができる。例えば、端末は、モニターリング区間の間に周期的ＣＱＩ(Channel  Quality  Indicator)報告を基地局に伝送することができる。
【００４７】
図７は、本発明の一実施例に係る制御チャネルモニターリング方法を示す例示図である。
【００４８】
図７を参照すると、端末はＤＲＸ周期ごとにモニターリング区間の間にＰＤＣＣＨをモニターリングする。モニターリング区間でＰＤＣＣＨの成功的デコーディング、即ち、自分のデータのあることを確認する場合、ＰＤＣＣＨを介して指示される情報を介してＤＬ-ＳＣＨ上のデータを受信する。
【００４９】
端末がモニターリング区間の間にアップリンク割当またはダウンリンク割当を指示するＰＤＣＣＨを成功的に伝送すると、拡張区間(extended  period)の間にＰＤＣＣＨモニターリングすることができる。ここでは、２ＴＴＩでデータの指示を受けて、モニターリング区間をさらに拡張した例を示す。拡張区間の間にＰＤＣＣＨが成功的にデコーディングされない場合、再びＤＲＸ周期に戻る。拡張区間に対する情報は、基地局が端末に知らせることができる。
【００５０】
図８は、本発明の一実施例に係る制御チャネルモニターリング方法を示す例示図である。
【００５１】
図８を参照すると、ＤＲＸ周期は、動作区間(On  Period)、非動作区間(Off  Period)に区分される。動作区間は、端末がＰＤＣＣＨをモニターリングする区間であり、非動作区間は、ＰＤＣＣＨのモニターリングを中止してＤＲＸ睡眠(sleep)に進入する区間である。基地局は、動作区間や非動作区間に対する情報を端末に知らせることができる。動作区間の間に端末がＰＤＣＣＨを成功的に受信した場合、ＤＬ-ＳＣＨ上にダウンリンクデータを受信することができる。
【００５２】
動作区間は連続的なＴＴＩの数によって定義されて、非動作区間も連続的なＴＴＩの数により定義されてもよい。
【００５３】
動作区間と非動作区間は、その長さが固定される。即ち、動作区間で、端末はＰＤＣＣＨを介してスケジューリング情報を確認しても、動作区間あるいは非動作区間の長さを変更しない。即ち、この場合は、端末の動作区間及び非動作区間の長さが可変的でない場合を表す。従って、端末は、前記動作区間が終わると、前記動作区間の間に伝送情報が受信されたか否かに関係なく、非動作区間に遷移する。即ち、前記端末は、前記最初の２ＴＴＩでＰＤＣＣＨを成功的にデコーディングしても、非動作区間の開始時点から非動作区間の間にＰＤＣＣＨをモニターリングしない。
【００５４】
図９は、本発明の一実施例に係る制御チャネルモニターリング方法を示す例示図である。
【００５５】
図９を参照すると、基地局は、端末にＤＲＸ周期の間に非動作区間を省略しろとの命令をすることができる。基地局が端末に送るデータや制御情報が多くてその前の動作区間内でスケジューリング情報が受信されない場合、該当ＤＲＸ周期の非動作区間は、そのＤＲＸ周期の間には省略することを命令して、該当するＤＲＸ周期の間にのみ連続受信(Continuous  reception)モードに切り替えさせることもできる。または前記基地局が前記端末に送るデータや制御情報が多くてその前の伝送情報にともなう動作区間内でスケジューリング情報が受信されない場合、ＤＲＸ設定を中止して、端末が継続的に連続受信を遂行するように切り替えさせることもできる。端末は、非動作区間を省略しろとの命令を受けた場合、非動作区間に入ることなく、前記省略された区間だけ動作区間における動作を遂行する。
【００５６】
図１０は、本発明の一実施例に係る制御チャネルモニターリング方法を示す例示図である。
【００５７】
図１０を参照すると、該当ＤＲＸ周期の動作区間でＰＤＣＣＨを成功的にデコーディングした場合、拡張区間(extended  period)だけＰＤＣＣＨをさらにモニターリングすることができる。拡張区間は、ダウンリンク伝送が予想されてＰＤＣＣＨをモニターリングする連続的なＴＴＩの数によって定義される。ここでは、２ＴＴＩの動作区間でＰＤＣＣＨを成功的にデコーディングして、２ＴＴＩの拡張区間の間にＰＤＣＣＨをモニターリングするのを表す。従って、総モニターリングする区間の長さは４ＴＴＩとなる。
【００５８】
前記端末は、動作区間の間にダウンリンク制御チャネルを受信し、ダウンリンク制御チャネルを介して自分のダウンリンク割当またはアップリンク割当に関するスケジューリング割当を確認した場合、拡張区間だけＰＤＣＣＨをさらにモニターリングする。拡張区間の間にＰＤＤＣＨが成功的にデコーディングされないと、ＤＲＸ周期に再進入する。
【００５９】
基地局は、前記端末の次のＤＲＸ周期において動作区間の間に継続的に連続受信モードに切り替えるようにする、或いは数回のＤＲＸ周期の間でのみ連続受信モードに切り替えるようにする、或いは動作区間の長さを延長するようにすることを指示することができる。継続的な連続受信モードへ切り替えられた後にも、基地局は、端末に非動作区間への遷移を指示することができる。前記端末は、連続受信モードにとどまる間、前記基地局から非動作区間に遷移しろとの命令を受けると、連続受信モードを中断して非動作区間に遷移する。
【００６０】
図１１は、本発明の一実施例に係る制御チャネルモニターリング方法を示す例示図である。
【００６１】
図１１を参照すると、動作区間でＰＤＣＣＨを成功的にデコーディングした場合、端末は、非動作区間を不活性化して、拡張区間(extended  period)だけＰＤＣＣＨをさらにモニターリングする。基地局は、拡張区間の間にも非動作区間に遷移を指示することができる。即ち、端末は、拡張区間が満了された後、ＤＲＸ周期に進入することなく、基地局の指示に従って直ちにＤＲＸ周期に進入することができる。
【００６２】
図１２は、本発明の一実施例に係る制御チャネルモニターリング方法を示す例示図である。
【００６３】
図１２を参照すると、データが指示されることに従って多数の拡張区間が存在することを示す。即ち、動作区間の間にＰＤＣＣＨを成功的にデコーディングすると、端末は、拡張区間の間に追加的にＰＤＣＣＨをモニターリングする。もし、拡張区間の間にＰＤＣＣＨを成功的にデコーディングすると、端末は追加的な拡張区間の間にＰＤＣＣＨをモニターリングし続ける。動作区間の間にデータ指示のある場合、該当ＤＲＸ周期の動作区間が経過した後、多数の拡張区間の間にＰＤＣＣＨを継続的にモニターリングすることができる。
【００６４】
端末は、データの指示を受信した後、次のダウンリンク伝送を受信するために拡張区間の間にＰＤＣＣＨを継続して(continuously)モニターリングする。さらに、データの指示を再び受信すると、他の拡張区間の間にＰＤＣＣＨをモニターリングし続ける。追加された拡張区間の間にこれ以上データの存在が指示されないと、ＤＲＸ周期に戻る。
【００６５】
比較的短い伝送周期に制御チャネルが伝送されても、端末は動作区間でのみ制御チャネルのモニターリングを遂行して、非動作区間では制御チャネルのモニターリングを遂行しない。このようなＤＲＸ設定は、基地局がＭＡＣメッセージまたはＲＲＣメッセージを用いて端末に知らせることができる。制御チャネルのモニターリングにＤＲＸ方法を活用することによって端末のバッテリ消耗を縮めることができる。
【００６６】
図１３は、端末の要素を示すブロック図である。端末(５０)は、プロセッサ(processor、５１)、メモリ(memory、５２)、ＲＦ部(RF  unit、５３)、ディスプレー部(displayunit、５４)及び使用者インターフェース部(user  interface  unit、５５)を含む。メモリ(５２)は、プロセッサ(５１)と連結されて、駆動システム、アプリケーション及び一般的なファイルを格納する。ディスプレー部(５４)は、端末の多様な情報をディスプレーして、ＬＣＤ(LiquidCrystal  Display)、ＯＬＥＤ(Organic  Light  Emitting  Diodes)等、よく知られた要素を使用してもよい。使用者インターフェース部(５５)は、キーパッドやタッチスクリーンなど、よく知られた使用者インターフェースの組合せからなることができる。ＲＦ部(５３)は、プロセッサと連結されて、無線信号(radiosignal)を送信及び/または受信する。
【００６７】
プロセッサ(５１)は、無線インターフェースプロトコルの階層を具現して、制御平面と使用者平面を提供する。制御チャネルのモニターリング機能は、プロセッサ(５１)を介して具現されることができる。
【００６８】
本発明は、ハードウェア、ソフトウェアまたはこれらの組合せにより具現されることができる。ハードウェア具現において、上述した機能を遂行するためにデザインされたＡＳＩＣ(application  specific  integrated  circuit)、ＤＳＰ(digital  signalprocessing)、ＰＬＤ(programmable  logic  device)、ＦＰＧＡ(field  programmable  gate  array)、プロセッサ、制御機、マイクロプロセッサ、他の電子ユニットまたはこれらの組合せにより具現されることができる。ソフトウェア具現において、上述した機能を遂行するモジュールにより具現されることができる。ソフトウェアは、メモリユニットに格納されて、プロセッサにより実行されてもよい。メモリユニットやプロセッサは、当業者によく知られた多様な手段を採用することができる。
【００６９】
以上、本発明の望ましい実施例に対して詳細に技術したが、本発明が属する技術分野において通常の知識を有する者であれば、添付の請求範囲に定義された本発明の精神及び範囲を外れない限り、本発明を多様に変形または変更して実施することができる。従って、本発明の今後の実施例の変更は本発明の技術を外れることができない。
【符号の説明】
【００７０】
１０、５０  端末
２０  基地局
３０  ａＧＷ
５１  プロセッサ
５２  メモリ
５３  ＲＦ部
５４  ディスプレー部
５５  使用者インターフェース部
【図１】
0005421447.tif 000002
【図２】
0005421447.tif 000003
【図３】
0005421447.tif 000004
【図５】
0005421447.tif 000005
【図６】
0005421447.tif 000006
【図７】
0005421447.tif 000007
【図８】
0005421447.tif 000008
【図９】
0005421447.tif 000009
【図１０】
0005421447.tif 000010
【図１１】
0005421447.tif 000011
【図１２】
0005421447.tif 000012
【図１３】
0005421447.tif 000013
【図４】
0005421447.tif 000014